(57)【要約】【課題】  従来の技術とは異なる配列を持つ本発明のピクセルアレイは良好な表示効果を得ることができると同時に、サブピクセルの数を減らすことができる。【解決手段】  本発明ではピクセルアレイとこれを具備するディスプレイを開示する。前記ピクセルアレイは第1色のサブピクセル、第2色のサブピクセル及び第3色のサブピクセルを具備するサブピクセル基本ユニットを複数行複数列含み、サブピクセル基本ユニットそれぞれは複数のピクセルを具現し、サブピクセル基本ユニットそれぞれにおいて、第1色のサブピクセル、第2色のサブピクセル及び第3色のサブピクセルの個数比は1:2:1であり、水平方向において、前記第2色のサブピクセル同士は互いに隣接していない。【選択図】図３
2015018240.tif 000002
【特許請求の範囲】
【請求項１】
第1色のサブピクセル、第2色のサブピクセル及び第3色のサブピクセルを具備するサブピクセル基本ユニットを複数行複数列含み、
サブピクセル基本ユニットそれぞれは複数のピクセルを具現し、
サブピクセル基本ユニットそれぞれにおいて、第1色のサブピクセル、第2色のサブピクセル及び第3色のサブピクセルの個数比は1:2:1であり、
水平方向において、前記第2色のサブピクセル同士は互いに隣接していないことを特徴とするピクセルアレイ。
【請求項２】
第1項において、
行方向ににおいて、2つの第1色のサブピクセルの間には少なくとも3つの他の色のサブピクセルが介在され、2つの第3色のサブピクセルの間には少なくとも3つの他の色のサブピクセルが介在されていることを特徴とするピクセルアレイ。
【請求項３】
第1項において、
前記第2色のサブピクセルは緑サブピクセルであり、前記第1色のサブピクセルは赤サブピクセルであり、前記第3色のサブピクセルは青サブピクセルであることを特徴とするピクセルアレイ。
【請求項４】
第3項において、
2つのサブピクセルにより一つのピクセルが具現されることを特徴とするピクセルアレイ。
【請求項５】
第4項において、
サブピクセル基本ユニットそれぞれは4列のサブピクセルを具備し、
垂直方向において、前記第2色のサブピクセル同士は互いに隣接していないことを特徴とするピクセルアレイ。
【請求項６】
第5項において、
サブピクセル基本ユニットそれぞれは6行のサブピクセルを具備し、前記赤サブピクセルまたは前記青サブピクセルは交差する2本の対角線上のみに位置することを特徴とするピクセルアレイ。
【請求項７】
第3項において、
前記赤サブピクセルそれぞれと前記青サブピクセルそれぞれの発光強度の4分の1が隣接するピクセルに割り当てられることを特徴とするピクセルアレイ。
【請求項８】
第3項において、
前記赤サブピクセルそれぞれと前記青サブピクセルそれぞれの発光強度の8分の1が前のピクセルに割り当てられ、8分の3が次のピクセルに割り当てられることを特徴とするピクセルアレイ。
【請求項９】
第3項において、
前記赤サブピクセルそれぞれと前記青サブピクセルそれぞれの発光強度の2分の1が隣接するピクセルに割り当てられることを特徴とするピクセルアレイ。
【請求項１０】
第6項において、
前記2本の対角線において、第一対角線は第1行から第4行における行座標と列座標とが同じであるサブピクセルにより構成され、第二対角線は第4行から第6行における行座標と列座標との合計が8であるサブピクセルにより構成されていることを特徴とするピクセルアレイ。
【請求項１１】
第10項において、
前記緑サブピクセルの面積は赤サブピクセルの面積の2分の1であり、前記赤サブピクセルの面積は青サブピクセルの面積と同じであることを特徴とするピクセルアレイ。
【請求項１２】
第5項において、
サブピクセル基本ユニットそれぞれは4行のサブピクセルを具備し、第1行から第3行における行座標と列座標とが同じなサブピクセルは、その全部が前記赤サブピクセルであるか、あるいはその全部が前記青サブピクセルであることを特徴とするピクセルアレイ。
【請求項１３】
第5項において、
前記サブピクセル基本ユニットそれぞれは2行のサブピクセルを具備し、前記サブピクセル基本ユニットそれぞれにおける前の2行は全部前記赤サブピクセル及び前記緑サブピクセルであることを特徴とするピクセルアレイ。
【請求項１４】
第4項において、
前記サブピクセル基本ユニットそれぞれは4行4列のサブピクセルを具備し、前記サブピクセル基本ユニットそれぞれは前の2行が同じで後の2行が同じであり、第2行と第3行とが異なることを特徴とするピクセルアレイ。
【請求項１５】
第1色のサブピクセル、第2色のサブピクセル及び第3色のサブピクセルを具備するサブピクセル基本ユニットを複数行複数列含み、
サブピクセル基本ユニットそれぞれは複数のピクセルを具現し、
サブピクセル基本ユニットそれぞれにおいて、第1色のサブピクセル、第2色のサブピクセル及び第3色のサブピクセルの個数比は1:2:1であり、
水平方向において、前記第2色のサブピクセル同士は互いに隣接していないピクセルアレイを具備することを特徴とするディスプレイ。
【請求項１６】
第15項において、
2つの第1色のサブピクセルの間には少なくとも3つの他の色のサブピクセルが介在され、2つの第3色のサブピクセルの間には少なくとも3つの他の色のサブピクセルが介在されていることを特徴とするディスプレイ。
【請求項１７】
第15項において、
前記第2色のサブピクセルは緑サブピクセルであり、前記第1色のサブピクセルは赤サブピクセルであり、前記第3色のサブピクセルは青サブピクセルであることを特徴とするディスプレイ。
【請求項１８】
第17項において、
2つのサブピクセルにより一つのピクセルを具現されることを特徴とするディスプレイ。
【請求項１９】
第18項において、
サブピクセル基本ユニットそれぞれは4列のサブピクセルを具備し、
垂直方向において、前記第2色のサブピクセル同士は互いに隣接していないことを特徴とするディスプレイ。
【請求項２０】
第19項において、
サブピクセル基本ユニットそれぞれは6行のサブピクセルを具備し、前記赤サブピクセルまたは前記青サブピクセルは交差する2本の対角線上のみに位置することを特徴とするディスプレイ。
【請求項２１】
第17項において、
前記赤サブピクセルそれぞれと前記青サブピクセルそれぞれの発光強度の4分の1が隣接するピクセルに割り当てられることを特徴とするディスプレイ。
【請求項２２】
第17項において、
前記赤サブピクセルそれぞれと前記青サブピクセルそれぞれの発光強度の8分の1が前のピクセルに割り当てられ、8分の3が次のピクセルに割り当てられることを特徴とするディスプレイ。
【請求項２３】
第17項において、
前記赤サブピクセルそれぞれと前記青サブピクセルそれぞれの発光強度の2分の1が隣接するピクセルに割り当てられることを特徴とするディスプレイ。
【請求項２４】
第20項において、
前記2本の対角線において、第一対角線は第1行から第4行における行座標と列座標とが同じであるサブピクセルにより構成され、第二対角線は第4行から第6行における行座標と列座標との合計が8であるサブピクセルにより構成されていることを特徴とするディスプレイ。
【請求項２５】
第24項において、
前記緑サブピクセルの面積は赤サブピクセルの面積の2分の1であり、前記赤サブピクセルの面積は青サブピクセルの面積と同じであることを特徴とするディスプレイ。
【請求項２６】
第19項において、
サブピクセル基本ユニットそれぞれは4行のサブピクセルを具備し、第1行から第3行における行座標と列座標とが同じなサブピクセルは、その全部が前記赤サブピクセルであるか、あるいは全部が前記青サブピクセルであることを特徴とするディスプレイ。
【請求項２７】
第19項において、
前記サブピクセル基本ユニットそれぞれは2行のサブピクセルを具備し、前記サブピクセル基本ユニットそれぞれの前の2行は全部前記赤サブピクセル及び前記緑サブピクセルであることを特徴とするディスプレイ。
【請求項２８】
第18項において、
前記サブピクセル基本ユニットそれぞれは4行4列のサブピクセルを具備し、前記サブピクセル基本ユニットそれぞれは前の2行が同じで後の2行が同じであり、第2行と第3行とが異なることを特徴とするディスプレイ。
【請求項２９】
第15項において、
前記ディスプレイはアクティブマトリックス有機発光ダイオードディスプレイであることを特徴とするディスプレイ。
【発明の詳細な説明】
【技術分野】
【０００１】
本発明はディスプレイの技術分野に関するものであり、特に、ピクセルアレイとこれを具備するディスプレイに関するものである。
【背景技術】
【０００２】
ディスプレイ分野、特にはアクティブマトリックス有機発光ダイオードディスプレイ（AMOLED）技術分野の場合、一般的にピクセルアレイに対する改善によって、表示品質を保証し、解像度を向上しながらピクセル数を減少し、また、部品の寿命、効率と個体のピクセルのサイズを増加することを望む。
【０００３】
サブピクセルのレイアウト（sub-pixel layout）に対する改善はディスプレイに対する人間の肉眼の色、色度（chrominance）と輝度（luminance）に対する知覚に影響を与えることができる。従来の技術においては、例えば、公開番号がCN1639765Aであり、発明の名称が "カラーフラットパネルディスプレイのサブピクセルアレイとサブピクセル着色装置（彩色平板顕示器的子像素排列和子像素着色設置）"である中国の発明特許では4x4マトリックスを公開し、本発明の図1の図2は前記特許の添付の図9Aと図9Bに対応するもので、サブピクセルのグループ内の主要なサブピクセルを分裂させる様々な変位の8つが一つのグループであるサブピクセル配列の他の実施例を示す。この特許では8つが一つのグループであるサブピクセルのグループの中でサブピクセルの形状は異なる可能性があり、図9Aと図9Bに示したグループの中で複数のサブピクセル106はサブピクセル102とサブピクセル104 に構成された格子内に分散されてあり、これらの格子内の複数のサブピクセルの位置も他の配列方法があることができるのはその発明の範囲内にある。前記特許の図9Aと図9Bの場合、柱状電極がZ字型にディスプレイを貫通する。同じ解像度のRGBフリンジシステムと比較した場合、柱状駆動装置は3分の1に低減する必要があり、サブピクセルの数は約RGBフリンジシステムのサブピクセル数の3分の2である。
【０００４】
このため、従来技術に係るストライプ状の赤/緑/青の色配列を有するフラットパネルディスプレイにおけるピクセルアレイの配列方式を改善して新しいピクセルアレイを開発することにより、サブピクセルの数を減らせるだけでなく、フラットパネルディスプレイの視覚効果をさらに向上させることができるようにすることは、この技術分野の重要な課題である。
【発明の概要】
【発明が解決しようとする課題】
【０００５】
本発明は、従来技術に存在する上記の問題を解消するためになされたものであり、その一つの目的は、従来技術に係るピクセルアレイの表示効果と同じかそれ以上の表示効果を具現すると同時に、サブピクセルの数を減らし、生産コストを低減することができる従来の技術とは違いピクセルアレイを提供することである。
【０００６】
本発明のもう一つの目的は本発明のピクセルアレイを具備するディスプレイを提供することである。
【課題を解決するための手段】
【０００７】
上記の目的を達成するための本発明は、第1色のサブピクセル、第2色のサブピクセル及び第3色のサブピクセルを具備するサブピクセル基本ユニットを複数行複数列含み、サブピクセル基本ユニットそれぞれは複数のピクセルを具現し、サブピクセル基本ユニットそれぞれにおいて、第1色のサブピクセル、第2色のサブピクセル及び第3色のサブピクセルの個数比は1:2:1であり、水平方向において、前記第2色のサブピクセル同士は互いに隣接していないピクセルアレイを提供する。
【０００８】
本発明に係るピクセルアレイにおいて、行方向ににおいて、2つの第1色のサブピクセルの間には少なくとも3つの他の色のサブピクセルが介在され、2つの第3色のサブピクセルの間には少なくとも3つの他の色のサブピクセルが介在されていることが好ましい。
【０００９】
本発明に係るピクセルアレイにおいて、前記第2色のサブピクセルは緑サブピクセルであり、前記第1色のサブピクセルは赤サブピクセルであり、前記第3色のサブピクセルは青サブピクセルであることが好ましい。
【００１０】
本発明に係るピクセルアレイにおいて、2つのサブピクセルにより一つのピクセルを具現されることが好ましい。
【００１１】
本発明に係るピクセルアレイにおいて、サブピクセル基本ユニットそれぞれは4列のサブピクセルを具備し、垂直方向において、前記第2色のサブピクセル同士は互いに隣接していないことが好ましい。
【００１２】
本発明に係るピクセルアレイにおいて、サブピクセル基本ユニットそれぞれは6行のサブピクセルを具備し、前記赤サブピクセルまたは前記青サブピクセルは交差する2本の対角線上のみに位置することが好ましい。
【００１３】
本発明に係るピクセルアレイにおいて、前記赤サブピクセルそれぞれと前記青サブピクセルそれぞれの発光強度の4分の1が隣接するピクセルに割り当てられることが好ましい。
【００１４】
本発明に係るピクセルアレイにおいて、前記赤サブピクセルそれぞれと前記青サブピクセルそれぞれの発光強度の8分の1が前のピクセルに割り当てられ、8分の3が次のピクセルに割り当てられることが好ましい。
【００１５】
本発明に係るピクセルアレイにおいて、前記赤サブピクセルそれぞれと前記青サブピクセルそれぞれの発光強度の2分の1が隣接するピクセルに割り当てられることが好ましい。
【００１６】
本発明に係るピクセルアレイにおいて、前記2本の対角線において、第一対角線は第1行から第4行における行座標と列座標とが同じであるサブピクセルにより構成され、第二対角線は第4行から第6行における行座標と列座標との合計が8であるサブピクセルにより構成されていることが好ましい。
【００１７】
本発明に係るピクセルアレイにおいて、前記緑サブピクセルの面積は赤サブピクセルの面積の2分の1であり、前記赤サブピクセルの面積は青サブピクセルの面積と同じであることが好ましい。
【００１８】
本発明に係るピクセルアレイにおいて、サブピクセル基本ユニットそれぞれは4行のサブピクセルを具備し、第1行から第3行における行座標と列座標とが同じなサブピクセルは、その全部が前記赤サブピクセルであるか、あるいは全部が前記青サブピクセルであることが好ましい。
【００１９】
本発明に係るピクセルアレイにおいて、前記サブピクセル基本ユニットそれぞれは2行のサブピクセルを具備し、前記サブピクセル基本ユニットそれぞれにおける前の2行は全部前記赤サブピクセル及び前記緑サブピクセルであることが好ましい。
【００２０】
本発明に係るピクセルアレイにおいて、前記サブピクセル基本ユニットそれぞれは4行4列のサブピクセルを具備し、前記サブピクセル基本ユニットそれぞれは前の2行が同じで後の2行が同じあり、第2行と第3行とが異なることが好ましい。
【００２１】
また、本発明は、第1色のサブピクセル、第2色のサブピクセル及び第3色のサブピクセルを具備するサブピクセル基本ユニットを複数行複数列含み、サブピクセル基本ユニットそれぞれは複数のピクセルを具現し、サブピクセル基本ユニットそれぞれにおいて、第1色のサブピクセル、第2色のサブピクセル及び第3色のサブピクセルの個数比は1:2:1であり、水平方向において、前記第2色のサブピクセル同士は互いに隣接していないピクセルアレイを具備するディスプレイを提供する。
【００２２】
本発明に係るディスプレイにおいて、2つの第1色のサブピクセルの間には少なくとも3つの他の色のサブピクセルが介在され、2つの第3色のサブピクセルの間には少なくとも3つの他の色のサブピクセルが介在されていることが好ましい。
【００２３】
本発明に係るディスプレイにおいて、前記第2色のサブピクセルは緑サブピクセルであり、前記第1色のサブピクセルは赤サブピクセルであり、前記第3色のサブピクセルは青サブピクセルであることが好ましい。
【００２４】
本発明に係るディスプレイにおいて、22つのサブピクセルにより一つのピクセルが具現されることが好ましい。
【００２５】
本発明に係るディスプレイにおいて、サブピクセル基本ユニットそれぞれは4列のサブピクセルを具備し、垂直方向において、前記第2色のサブピクセル同士は互いに隣接していないことが好ましい。
【００２６】
本発明に係るディスプレイにおいて、サブピクセル基本ユニットそれぞれは6行のサブピクセルを具備し、前記赤サブピクセルまたは前記青サブピクセルは交差する2本の対角線上のみに位置することが好ましい。
【００２７】
本発明に係るディスプレイにおいて、前記赤サブピクセルそれぞれと前記青サブピクセルそれぞれの発光強度の4分の1が隣接するピクセルに割り当てられることが好ましい。
【００２８】
本発明に係るディスプレイにおいて、前記赤サブピクセルそれぞれと前記青サブピクセルそれぞれの発光強度の8分の1が前のピクセルに割り当てられ、8分の3が次のピクセルに割り当てられることが好ましい。
【００２９】
本発明に係るディスプレイにおいて、前記赤サブピクセルそれぞれと前記青サブピクセルそれぞれの発光強度の2分の1が隣接するピクセルに割り当てられることが好ましい。
【００３０】
本発明に係るディスプレイにおいて、前記2本の対角線において、第一対角線は第1行から第4行における行座標と列座標が同じであるサブピクセルにより構成され、第二対角線は第4行から第6行における行座標と列座標との合計が8であるサブピクセルにより構成されていることが好ましい。
【００３１】
本発明に係るディスプレイにおいて、前記緑サブピクセルの面積は赤サブピクセルの面積の2分の1であり、前記赤サブピクセルの面積は青サブピクセルの面積と同じであることが好ましい。
【００３２】
本発明に係るディスプレイにおいて、サブピクセル基本ユニットそれぞれは4行のサブピクセルを具備し、第1行から第3行における行座標と列座標とが同じなサブピクセルは、その全部が前記赤サブピクセルであるか、あるいは全部が前記青サブピクセルであることが好ましい。
【００３３】
本発明に係るディスプレイにおいて、前記サブピクセル基本ユニットそれぞれは2行のサブピクセルを具備し、前記サブピクセル基本ユニットそれぞれの前の2行は全部が前記赤サブピクセル及び前記緑サブピクセルであることが好ましいである。
【００３４】
本発明に係るディスプレイにおいて、前記サブピクセル基本ユニットそれぞれは4行4列のサブピクセルを具備し、前記サブピクセル基本ユニットそれぞれは前の2行が同じで後の2行が同じであり、第2行と第3行とが異なることが好ましい。
【００３５】
前記ディスプレイはアクティブマトリックス有機発光ダイオードディスプレイであることが好ましい。
【発明の効果】
【００３６】
以上により、本発明の下記のような有益な効果を有する。
本発明に係るピクセルアレイこれを具備するディスプレイは従来技術に係るピクセルマトリックスと違いピクセルの配列を持っているが、従来技術に係るピクセルマトリックスの表示品質に達することができ、さらには超えることもできる。また、本発明に係るピクセルマトリックスはピクセル数を減らし、ピクセルマトリックスのコストを低減することができ、さらに、本発明に係るピクセルマトリックスを具備しているディスプレイのコストを低減することができる。
【図面の簡単な説明】
【００３７】
【図１】従来技術に係るピクセルアレイの一種類のサブピクセル基本ユニットの構成を模式的に示す説明図である。
【図２】従来技術に係るピクセルアレイの他の種類のサブピクセル基本ユニットの構成を模式的に示す説明図である。
【図３】本発明の第1実施例に係るピクセルアレイを模式的に示す説明図である。
【図４】本発明の第1実施例に係るサブピクセル基本ユニットを模式的に示す説明図である。
【図５】本発明の第2実施例に係るピクセルアレイを模式的に示す説明図である。
【図６】本発明の第2実施例に係るサブピクセル基本ユニットを模式的に示す説明図である。
【図７】本発明の第3実施例に係るピクセルアレイを模式的に示す説明図である。
【図８】本発明の第3実施例に係るサブピクセル基本ユニットを模式的に示す説明図である。
【図９】本発明の第4実施例に係るピクセルアレイを模式的に示す説明図である。
【図１０】本発明の第4実施例に係るサブピクセル基本ユニットを模式的に示す説明図である。
【図１１】本発明の第5実施例に係るピクセルアレイを模式的に示す説明図である。
【図１２】本発明の第5実施例に係るサブピクセル基本ユニットを模式的に示す説明図である。
【発明を実施するための形態】
【００３８】
以下に、本発明の特徴と利点を具現する典型的実施例について詳細に説明する。本発明は、各実施例において様々な変形を有しているが、これらは本発明の範囲を離脱したものではなく、本願明細書中の説明及び図面は、本質的に本発明を説明するためのものであって本発明を限定するためのものでないと理解すべきである。
【００３９】
本発明において、図面のある紙面を基準とする時、行方向/水平方向は紙面の左右方向を言って、列方向/垂直方向は紙面の上下方向を言う。前/後はそれぞれ紙面の左側、右側を示す。
【００４０】
本発明の実施例に係るピクセルアレイは、本発明の実施例に係るディスプレイに使用することができる。本発明の実施例に係るディスプレイは本発明の実施例に係るピクセルアレイを備えている。
【００４１】
本発明の実施例に係るディスプレイはアクティブマトリックス有機発光ダイオードディスプレイであることが好ましく、これはフラットパネルディスプレイと非平面ディスプレイを含んでいる。ただし、本発明はこれに限定されない。
【００４２】
以下、緑サブピクセルG、赤サブピクセルR及び青サブピクセルBにより構成されたサブピクセル基本ユニットを例に挙げて、本発明の実施例に係るピクセルアレイを説明することにする。ただし、本発明のピクセルマトリックスはこれらのサブピクセル基本ユニットに限定されず、上記3種類のサブピクセル構成要素に限定されない。
【００４３】
総体的に、本発明の各実施例に係るピクセルマトリックスは3つの主な特徴を持つ。
第一、本発明の実施例に係るピクセルマトリックスにおいて、3種類のサブピクセルの個数比は1:2:1あるいは2:1:1と1:1:2である。その中で、緑サブピクセルが50％を占めている。つまり、赤サブピクセル、緑サブピクセル及び青サブピクセルの比率は1:2:1である。
【００４４】
第二、サブピクセル基本ユニットにおいて、同じ色のサブピクセルは主に斜線や湾曲した斜線（斜線や対角線）上に分布される。以下、湾曲のある斜線を湾曲斜線と略称する。斜線の傾斜角は例えば、45度、135度などであり、また、緑サブピクセルGがある斜線/湾曲斜線は赤サブピクセルRがある斜線/湾曲捜査線と青のサブピクセルBがある斜線/湾曲斜線を離間させる。
【００４５】
第三、水平方向における緑サブピクセルG同士は互いに隣接していなく、水平方向において隣接する2つのサブピクセルにより一つのピクセルが具現される。
【００４６】
以下に、本発明の各実施例に係るピクセルアレイを具体的に説明することにしよう。
【実施例１】
【００４７】
第1実施例：
図3と図4に示したように、本発明の第1実施例に係るピクセルアレイは同じサブピクセル基本ユニット複数行複数列により構成され、サブピクセル基本ユニットそれぞれは6行4列に配列された24個のサブピクセルにより構成され、24個のサブピクセルは6つの赤サブピクセルR、6つの青色のサブピクセルB、12個の緑サブピクセルGに割り当てられる。このため、赤サブピクセルR、緑サブピクセルG及び青サブピクセルBの個数比は1:2:1である。
【００４８】
図3と図4に示すように、水平方向において隣接する2つのサブピクセルにより一つのピクセルが具現されるため、本実施例に係るピクセルアレイは、24個のサブピクセルにより6行2列のピクセルアレイが具現される。このため、一つのピクセルに赤、緑、青の3種類のサブピクセルを含む比較的普通な場合は3分の1のサブピクセルを減らしている。
【００４９】
図4に示すように、行方向において、第1色のサブピクセルの行は赤サブピクセルR、緑サブピクセルG、青サブピクセルB及び緑サブピクセルGの順になり、第2サブピクセルの行は緑サブピクセルG、赤サブピクセルR、緑サブピクセルG及び青サブピクセルBの順になっている。第3色のサブピクセルの行は青サブピクセルB、緑サブピクセルG、赤サブピクセルR及び緑サブピクセルGの順になり、第4サブピクセルの行は緑サブピクセルG、青サブピクセルB、緑サブピクセルG及び赤サブピクセルRの順になっている。また、第5のサブピクセルの行は青のサブピクセルB、緑サブピクセルG、赤サブピクセルR及び緑サブピクセルGの順になり、第6サブピクセルの行は緑サブピクセルG、赤サブピクセルR、緑サブピクセルG、青サブピクセルBの順になっている。
【００５０】
図3と図4に示すように、水平方向と垂直方向の各方向における各方向における緑サブピクセルG同士は互いに隣接していない。しかし、水平方向における2つの赤サブピクセルRとの間に緑サブピクセルG、青サブピクセルB及び緑サブピクセルGが順に介在され、2つの青色のサブピクセルBの間に緑サブピクセルG、赤サブピクセルR及び緑サブピクセルGが順に介在してある。
【００５１】
本実施例において、2つのサブピクセルにより一つのピクセルが具現されるため、各ピクセルの中に青色のサブピクセルBまたは赤サブピクセルRが欠けている場合、隣接するピクセルと共有しなければならない。このため、本実施例では、表示グリッド（rendering grid）アルゴリズムに基づいて、各赤サブピクセルRと青サブピクセルBの発光強度の4分の1が隣接するピクセルに割り当てられる。あるいは、前記アルゴリズムによって、赤サブピクセルRと青サブピクセルBの発光強度は8分の1が以前のピクセル（previous pixel）に割り当てられ、8分の4が現在のピクセル（current pixel）に割り当られ、8分の3が次のピクセル（following pixel）に割り当られる。また、前記アルゴリズムによって、赤サブピクセルRと青サブピクセルBの発光強度は2分の1が隣接するピクセルに割り当てられる。
【００５２】
このように、本実施例に係る中で赤サブピクセルRは交差する2本の対角線上のみに位置する。この2本の対角線では第一対角線は第1行から第4行における行座標は列座標と同じであるサブピクセルにより構成される。つまり、第1行第1列、第2行第2列、第3行第3列及び第4行第4列のサブピクセルにより構成される。第二の対角行は第4行から第6行における行座標と列座標との合計が8であるサブピクセルにより構成される。つまり、第4行第4列、第5行第3列及び第6行第2列のサブピクセルにより構成され、2本の対角線の交点は第4行第4列ある。
【００５３】
本実施例に係るピクセルマトリクスにおいて、各サブピクセルに形成された前の5つの（左から上まで順）の湾曲斜線は下記のような順である。
【００５４】
1、青のサブピクセルBは、第3行第1列、第4列第2列、第5行第1列。
2、緑サブピクセルG及び、第2行第1列、第3行第2列、第4行第3列、第5行第2列、第6行第1列。
【００５５】
3、赤サブピクセルR及び、第1行第1列、第2行第2列、第3行第3列、第4行第4列、第5行第3列、第6行第2列、第7行第1列。
【００５６】
4、緑サブピクセルG及び、第1行第2列、第2行第3列、第3行第4列、第4行第5列、第5行第4列、第6行第3列、第7行第2列。
【００５７】
5、緑サブピクセルG及び、第1行第3列、第2行第4列、第3行第5列、第4行第6列、第5行第5列、第6行第4列、第7行第3列。
【００５８】
前記から分かるのように、緑サブピクセルGがある湾曲斜線により赤サブピクセルRがある湾曲斜線と青のサブピクセルBがある湾曲斜線が離間される。
【００５９】
本実施例では、赤サブピクセルR、緑サブピクセルG及び青サブピクセルBの面積はいずれも同じである。
【００６０】
本実施例では、赤サブピクセルRと青サブピクセルBの位置は交換可能で、交換後の青サブピクセルBは2つの交差した対角線上のみに位置する。
【実施例２】
【００６１】
第2の実施例：
図5と図6に示したように、本発明の第2実施例に係るピクセルアレイではサブピクセルの分布は実質的に第1実施例と同じである。
【００６２】
第1実施例と異なるのは第1実施例では色ごとのサブピクセルの面積はいずれも同じである。一方、本実施例では緑サブピクセルGの面積が赤サブピクセルRの2分の1であり、赤サブピクセルRの面積が青サブピクセルBの面積と同じである。
【００６３】
本実施例では赤サブピクセルRと青サブピクセルBの位置は交換可能である。
【実施例３】
【００６４】
第3の実施例：
図7と図8に示すように、本発明の第3実施例に係るピクセルアレイは同じサブピクセル基本ユニット複数行複数列により構成され、サブピクセル基本ユニットそれぞれは4行4列の16個のサブピクセルにより構成され、16個のサブピクセルは4つの赤サブピクセルR、4つの青色のサブピクセルB、8つの緑サブピクセルGに割り当てられる。このため、赤サブピクセルR、緑サブピクセルG、青サブピクセルBの量比は1:2:1である。
【００６５】
図8に示すように、本実施例に係る中のサブピクセル基本ユニットにおいて、行方向の第1色のサブピクセルの行は赤サブピクセルR、緑サブピクセルG、青サブピクセルB及び緑サブピクセルGの順になり、第2サブピクセルの行は緑サブピクセルG、赤サブピクセルR、緑サブピクセルG及び青サブピクセルBの順になっている。第3色のサブピクセルの行は青サブピクセルB、緑サブピクセルG、赤サブピクセルR及び緑サブピクセルGの順になり、第4サブピクセルの行は緑サブピクセルG、赤サブピクセルR、緑サブピクセルG及び青サブピクセルBの順になっている。
【００６６】
このように、本実施例では第1行から第3行における行座標と列座標とが同じなサブピクセル位置は全部が赤サブピクセルRである。本実施例では赤サブピクセルRと青サブピクセルBの位置は交換可能で、交換後の第1行から第3行における行座標と列座標とが同じなサブピクセル位置は全部が青サブピクセルBである。
【００６７】
図7と図8に示すように、水平方向と垂直方向の各方向における緑サブピクセルG同士は互いに隣接していない。しかし、水平方向における2つの赤サブピクセルRとの間に緑サブピクセルG、青サブピクセルB及び緑サブピクセルGが順に介在され、2つの青色のサブピクセルBの間に緑サブピクセルG、赤サブピクセルR及び緑サブピクセルGが順に介在されていることは第1の実施例と同じである。
【００６８】
本実施例でも、隣接するピクセルと共有する必要があり、共有と関連するアルゴリズムは第1実施例と同じなので、ここでは説明を省略する。
【００６９】
本実施例では赤サブピクセルR、緑サブピクセルG及び青サブピクセルBの面積はいずれも同じ。ただし、これに限定されない。
【実施例４】
【００７０】
第4の実施例：
図9と図10に示すように、本発明の第4実施例に係るピクセルアレイは少なくとも3行3列の同じサブピクセル基本ユニットにより構成され、サブピクセル基本ユニットそれぞれは2行4列の8つのサブピクセルにより構成され、8つのサブピクセルは2つの赤サブピクセルR、2つの青色のサブピクセルB、4つの緑サブピクセルGに割り当てられる。したがって、赤サブピクセルR、緑サブピクセルG及び青サブピクセルBの個数比は1:2:1である。
【００７１】
図10に示すように、本実施例に係るサブピクセル基本ユニットにおいて、行方向の第1色のサブピクセルの行は赤サブピクセルR、緑サブピクセルG及び青サブピクセルB、緑サブピクセルGの順になり、第2サブピクセルの行は緑サブピクセルG、赤サブピクセルR、緑サブピクセルG及び青サブピクセルBの順になっている。
【００７２】
このように、本実施例に係るサブピクセル基本ユニットでは前の2列は全部が赤サブピクセルRと緑サブピクセルGであり、後の2列は全部が青サブピクセルBと緑サブピクセル Gである。本実施例では赤サブピクセルRと青サブピクセルBの位置は交換可能で、交換後の前の2列は全部が青サブピクセルBと緑サブピクセルGであり、後の2列には全部が赤サブピクセルRと緑サブピクセルGである。
【００７３】
図9と図10に示すように、水平方向と垂直方向の各方向における緑サブピクセルG同士は互いに隣接していない。しかし、水平方向における2つの赤サブピクセルRとの間に緑サブピクセルG、青サブピクセルB及び緑サブピクセルGが順に介在され、2つの青色のサブピクセルBの間に緑サブピクセルG、赤サブピクセルR及び緑サブピクセルGが順に介在されていることは第1の実施例と同じである。
【００７４】
本実施例でも、隣接するピクセルと共有する必要があり、共有と関連するアルゴリズムは第1実施例と同じなので、ここでは説明を省略する。
【００７５】
本実施例では、赤サブピクセルR、緑サブピクセルG、青サブピクセルBの面積はいずれも同じ。ただし、これに限定されない。
【実施例５】
【００７６】
第5実施例：
図11と図12に示したように、本発明の第5実施例に係るピクセルアレイは同じサブピクセル基本ユニット複数行複数列により構成され、サブピクセル基本ユニットそれぞれは4行4列の16個のサブピクセルにより構成され、16個のサブピクセルは4つの赤サブピクセルR、4つの青色のサブピクセルB、8つの緑サブピクセルGに割り当てられる。このため、赤サブピクセルR、緑サブピクセルG、青サブピクセルBの個数比は1:2:1である。
【００７７】
図12に示すように、本実施例に係るサブピクセル基本ユニットにおいて、行方向の第1色のサブピクセルの行は赤サブピクセルR、緑サブピクセルG、青サブピクセルB及び緑サブピクセルGの順になり、第2のサブピクセルの行は赤サブピクセルR、緑サブピクセルG、青サブピクセルB及び緑サブピクセルGの順になっている。また、第3色のサブピクセルの行は緑サブピクセルG、赤サブピクセルR、緑サブピクセルG及び青サブピクセルBの順になり、第4サブピクセルの行は緑サブピクセルG、赤サブピクセルR、緑サブピクセルG及び青サブピクセルBの順になっている。
【００７８】
このように、本実施例に係るサブピクセル基本ユニットでは前の2つのサブピクセルの行は同じ、後の2つのサブピクセルの行は同じであるが、第2行と第3行は違う。本実施例では赤サブピクセルRと青サブピクセルBの位置は交換可能である。
【００７９】
図11と図12に示すように、緑サブピクセルG同士は互いに隣接していない。しかし、水平方向における2つの赤サブピクセルRとの間に緑サブピクセルG、青サブピクセルB及び緑サブピクセルG順にが介在され、2つの青色のサブピクセルBの間に緑サブピクセルG、赤サブピクセルR及び緑サブピクセルGが順に介在されていることは第1の実施例と同じである。
【００８０】
本実施例でも、隣接するピクセルと共有する必要があり、共有と関連するアルゴリズムは第1実施例と同じなので、ここでは説明を省略する。
【００８１】
本実施例では赤サブピクセルR、緑サブピクセルG及び青サブピクセルBの面積はいずれも同じである。ただし、これに限定されない。
【００８２】
本発明の請求の範囲により規定される本発明の範囲及びその思想を逸脱しない限り、本発明に対する様々な変更や修飾はすべて本発明の請求の範囲により要求される保護範囲内に属することを、当業者であれば理解すべきであろう。
【図１】
2015018240.tif 000003
【図２】
2015018240.tif 000004
【図３】
2015018240.tif 000005
【図４】
2015018240.tif 000006
【図５】
2015018240.tif 000007
【図６】
2015018240.tif 000008
【図７】
2015018240.tif 000009
【図８】
2015018240.tif 000010
【図９】
2015018240.tif 000011
【図１０】
2015018240.tif 000012
【図１１】
2015018240.tif 000013
【図１２】
2015018240.tif 000014